(57)【要約】      （修正有）【課題】逆方向からの乗り込み等転倒事故防止、手摺ベルトが掴み易い。手摺ベルト用案内ローラの汚れ除去。【解決手段】第１のエスカレーター１Ａと第２のエスカレーター１ａのそれぞれの手摺ベルト６の全長表面に、色を異にすると共に、表面平坦部の幅とほぼ同じ幅でそれの回動方向を表示する方向表示マーク６Ａを間隔をおいて印刷表示した印刷シートを貼り付けて、かつ、隣接する手摺ベルト６同士の方向表示マーク６Ａに前後方向に位置ずれ距離を設けた。また、その印刷シートの表面層の摩擦係数及び粘着性が手摺ベルト６の表面層の摩擦係数及び粘着性よりも高い数値を有するポリエステル系ウレタン樹脂材とし、手摺ベルト６と印刷シート６ＡＡを回動させた状態で案内ローラの表面の汚れ成分を印刷シートに吸着及び転移させ、転移した汚れ成分を往路において人的に拭き取る工程を経て清掃するようにした。【選択図】図２
2014218367.tif 000002
【特許請求の範囲】
【請求項１】
乗客が乗る往路から機械内部の復路にかけて反転して回動し、乗客を輸送する踏段を有し、この踏段と同期して乗客が掴む往路から案内ローラ等で案内される復路にかけて反転して回動する手摺ベルトの表面に、この手摺ベルトの表面平坦部の幅とほぼ同じ幅でそれの回動方向を表示する方向表示マークをその全長方向において適宜の間隔を空けて印刷表示した印刷シートをそれぞれ備えた第１のエスカレーターと第２のエスカレーターが並設々置されたものにおいて、前記並設々置エスカレーターが備える印刷シートのうち少なくとも隣接する印刷シート同士の方向表示マーク位置をその全長方向において位置ずれ距離を設けて配置したことを特徴とする並設々置エスカレーターの手摺ベルト。
【請求項２】
請求項１記載の印刷シートは、その表面層の摩擦係数及び粘着性が前記手摺ベルト表面層の摩擦係数及び粘着性よりも高い数値を有するポリエステル系ウレタン樹脂材であることを特徴とする並設々置エスカレーターの手摺ベルト。
【請求項３】
請求項１及び２記載の印刷シートは、前記手摺ベルトと印刷シートを同時に回動させた状態で前記案内ローラ表面の汚れ成分をこの印刷シートに吸着および転移させ、この印刷シートに転移した汚れ成分を前記往路において人的に拭き取る工程を経て清掃するようにしたことを特徴とする並設々置エスカレーターの手摺ベルトの清掃方法。
【発明の詳細な説明】
【技術分野】
【０００１】  本発明は、回動する踏段が水平路あるいは傾斜路を形成して主として乗り継ぎ形で乗客輸送を行う並設々置エスカレーターの手摺ベルトの構成及びその清掃方法に関する。
【背景技術】
【０００２】  ２００７年公表の国土交通省「バリアフリー整備ガイドライン」に「印を付けることなどにより、ベルトの進行方向を表示する」規定が追加され、本発明の対象である「方向表示マーク付き手摺ベルト」が普及する一方、その効果が視覚弱者に対する利便は勿論、健常者の手摺ベルト利用率向上効果も評価されている。この「印を付ける」具体的な方法としては、特許文献１に記載の構成が公知となっており、手摺ベルトの表面に、この手摺ベルトとは異色でその表面平坦部の幅とほぼ同じ幅の方向表示マークを、反転部半円周範囲に最低１個有する間隔で印刷した印刷シートを貼り付けた構成である。また、手摺ベルト表面の汚れの元凶と言われる案内ローラ表面の汚れを除去（清掃）する方法としては、特許文献２に記載のものが公知となっており、手摺ベルトの表面に、一定時間、一定長さの清掃用粘着フィルムを貼り付けて案内ローラの汚れを除去するという清掃作業に限定、特化した時間と道具による清掃方法である。
【先行技術文献】
【特許文献】
【０００３】
【特許文献１】特開２００６−３４７７６３号公報
【０００４】
【特許文献２】特開２０１１−１１８４３号公報
【発明の概要】
【発明が解決しようとする課題】
【０００５】  特許文献１は、手摺ベルト表面に「方向表示マーク」付き印刷シートを設けたことで、エスカレーターの存在とその速度感を視覚によって認知（乗り込み時の運転速度に対する体重移動バランスの安定化等）させる効果を発揮している。実際、２０１２年３月に首都圏の駅構内で１台単独設置された方向表示マーク付きエスカレーターで実利用状態を調査したところ、手摺ベルト利用率（手摺を掴む乗客の比率）は施工前が１０％以下であったのに対して施工後は２０％強と３倍近くに増加、また、視覚障害者や高齢者に接触して転倒の巻き添えにする危険性を孕む健常者の踏段歩行（踏段の駆け下りなど）率が、施工前が４０％強であったのに対して５％と１／８程度まで低下し、エスカレーターの安全利用に大きく寄与していることが分かった。しかしながら、上記の改善データはあくまでも単独設置においてであり、第１のエスカレーターの乗り口と第２のエスカレーターの降り口が隣接するような並設々置タイプにおいては、第１及び第２のエスカレーターの区別が判然とせず、逆乗り込み（例えば、上昇エスカレーターの降り口から乗り込む等）による転倒事故が散見され、特に並設々置タイプにおける第１及び第２のエスカレーターの区別を視覚的に訴求する手段が求められていた。さらに、この方向表示マークの有無以前の問題として、合成ゴムまたはウレタン樹脂製のどちらかである手摺ベルト自体の表面が、あるいは貼り付けた印刷シートの表面がツルツルしていて掴んだ手が滑り易く、手摺ベルトを利用して安定姿勢を保つという手摺ベルト本来の安全機能が低下しているという問題があった。また、特許文献２は、清掃作業に限定、特化した時間的、道具的な方法であり、安全手段のために設ける印刷シートを別目的に活用しての簡易的な案内ローラ表面の汚れ除去については念頭になかった。
【課題を解決するための手段】
【０００６】  本発明は、上記問題を解消するためになされたものであり、請求項１のものは、乗客が乗る往路から機械内部の復路にかけて反転して回動し、乗客を輸送する踏段を有し、この踏段と同期して乗客が掴む往路から案内ローラ等で案内される復路にかけて反転して回動する手摺ベルトの表面に、この手摺ベルトの表面平坦部の幅とほぼ同じ幅でそれの回動方向を表示する方向表示マークをその全長方向において適宜の間隔を空けて印刷表示した印刷シートをそれぞれ備えた第１のエスカレーターと第２のエスカレーターが並設々置されたものにおいて、前記並設々置エスカレーターが備える印刷シートのうち少なくとも隣接する印刷シート同士の方向表示マーク位置をその全長方向において位置ずれ距離を設けて配置した並設々置エスカレーターの手摺ベルトとしたのである。【０００７】  また、請求項２のものは、請求項１記載の印刷シートを、その表面層の摩擦係数及び粘着性が前記手摺ベルト表面層の摩擦係数及び粘着性よりも高い数値を有するポリエステル系ウレタン樹脂材とした並設々置エスカレーターの手摺ベルトとしたのである。【０００８】  さらに、請求項３のものは、請求項１及び２記載の印刷シートを、前記手摺ベルトと印刷シートを同時に回動させた状態で前記案内ローラ表面の汚れ成分をこの印刷シートに吸着および転移させ、この印刷シートに転移した汚れ成分を前記往路において人的に拭き取る工程を経て清掃するようにした並設々置エスカレーターの手摺ベルトの清掃方法としたのである。
【発明の効果】
【０００９】  上記請求項１の構成によれば、各々の乗降口が隣接する並設々置エスカレーターが備える手摺ベルト表面の方向マーク位置がその全長方向の前後方向において位置ずれ距離を有しているので、第１及び第２エスカレーター両者の違いが容易に認識（区別）でき、第１及び第２のエスカレーターのいずれかを利用せんとする乗客は、各エスカレーターの運転方向と速度感がより認識し易くなることから、従来のような危険な逆方向からの乗り込み等転倒事故防止への貢献が期待できる。【００１０】  また、請求項２の構成によれば、請求項１記載の印刷シートを、その表面層の摩擦係数及び粘着性が前記手摺ベルト表面層の摩擦係数及び粘着性よりも高い数値を有するポリエステル系ウレタン樹脂材としているためツルツルして滑り易く、手で掴み難くて安定姿勢が保てないという従来のような安全上の問題を改善できる。【００１１】  さらに、上記請求項３の構成によれば、手摺ベルトと印刷シートを回動させた状態で前記案内ローラ表面の汚れ成分をこの印刷シートに吸着及び転移させ、この印刷シートに転移した汚れ成分を前記往路において人的に拭き取る工程を経て清掃する方法としているため、手摺ベルト表面の汚れの元凶である案内ローラ表面の汚れを、従来のような清掃作業に限定、特化した時間的、道具的方法によらず、自動的に印刷シートに転移させることで、エスカレーターの機械を少しも解体せずに自動清掃できる保全上の効果がある。
【図面の簡単な説明】
【００１２】
【図１】本発明の実施形態を示す全体側面図である。
【図２】図１のＸ−Ｘ線に沿う断面図である。
【図３】図２のＹ−Ｙ線に沿う断面図である。
【図４】本発明の手摺ベルトと案内部の概念的断面斜視図である。
【発明を実施するための形態】
【００１３】  以下、本発明になるエスカレーターの手摺ベルトの構成及びその清掃方法について、図１〜図４を用いて説明する。
【００１４】  図において、輸送手段である第１のエスカレーター１Ａは、例えば上昇運転用として上階床２Ａと下階床２Ｂに装架される主フレーム３と、無端状に連結されて往路から復路にかけて反転して回動する多数の踏段４と、踏段４の両側に直立して側壁を形成する欄干５と、欄干５の周縁の両反転部５Ａと５Ｂ間を回動する手摺ベルト６を備えている。また、手摺ベルト６は駆動歯車７の動力をチェーン８を介して駆動ローラ９等に伝達された動力によって摩擦駆動され、乗客が掴む往路は欄干５で、機械内部を通る復路は多数の案内ローラ１０等によって支持されている。また、輸送手段である第２のエスカレーター１ａは、例えば下降運転用に下階床２Ｂよりさらに下階床（図示省略）にかけて第１のエスカレーター１Ａと同一の構造で同一名称（共通する符号は第１のエスカレーター１Ａに付す）のものが装備されており、一般には互いの乗降口が隣接するこの種の設置方式を並設々置エスカレーターと称している。
【００１５】  そして、本発明の主対象である第１のエスカレーター１Ａの手摺ベルト６と第２のエスカレーター１ａの手摺ベルト６は、現在は合成ゴムあるいはウレタン樹脂製のいずれかであり、一般には各々の手摺ベルト６共通で表面の平坦部６ａと両縁部６ｂが連なる略Ｃ字形断面に熱成型されて無端状に製造される。ここで、共通の手摺ベルト６の表面には、望ましい適宜の間隔として図１、図２に示すように各欄干５の高さＨに相当する上部反転部５Ａ（反対側の下部反転部５Ｂも同様）の半円周範囲内に少なくても１個（１個あるいは複数個を意味し、図２には１個の配置を例示）存在する間隔をもって印刷された手摺ベルト６とは異色で円形等（形状は特定しない）の目立ち易い形状の方向表示マーク６Ａを表示した印刷シート６ＡＡを貼り付けにより設けてある。ここで、第１と第２のエスカレーター１Ａ、１ａそれぞれの手摺ベルト６のうち、図２の中央の左右２本のように少なくとも隣接する手摺ベルト６に貼り付けた印刷シート６ＡＡの方向表示マーク６Ａの位置は互いの全長方向において前後に位置ずれ距離ｈ（図２の高さ差ｈの分）だけ離れた配置となっている。この場合、第１のエスカレーター１Ａと第２のエスカレーター１ａの左右一対の手摺ベルト６表面の方向表示マーク６Ａは図２に示したように左右対称位置でもよいし、図２に符号Ｚで示したように左右非対称位置でもよいが、図２中央部の隣接する手摺ベルト６の方向表示マーク６Ａは、意図的に位置ずれ距離ｈを設けて第１及び第２のエスカレーター１Ａ、１ａの違いを視覚的に訴求することを目的としている。さらに詳細には、これら方向表示マーク６Ａは、手摺ベルト６の表面を被い、その全長に貼り付けられる図３に示す印刷シート６ＡＡに対して、手摺ベルト６の全体幅Ｗ１の両縁部６ｂを除いた平坦部６ａ（幅Ｗ２）の幅いっぱいに印刷されている。そして、方向表示マーク６Ａにより公知例（特許文献１）と同様の安全効果を奏するものである。ここで、本発明の印刷シート６ＡＡについて詳述すれば、印刷シート６ＡＡは合計厚さｔが１ｍｍ以下の薄膜で、一例としてその基材層６ＢＢがポリエステル系ウレタン樹脂材で、その内面に接着剤層６ＣＣ、その外面にポリエステル系ウレタン樹脂材のラミネート層６Ｂｂの三層構成となっている。また、方向表示マーク６Ａは一例として基材層６ＢＢに印刷により表示され、この基材層６ＢＢと共に清掃のために適当に塗布されるプライマー剤層Ｍを介して接着剤層６ＣＣによって手摺ベルト６に対して矢印Ｋのように丸めて貼り付けられる。さらに、乗客が手で掴んで直接的に触れるにラミネート層６Ｂｂの表面は、合成ゴムあるいはウレタン樹脂製のいずれかである手摺ベルト６表面の摩擦係数（例えば指数ａ）及び粘着性（例えば指数ｂ）に比べて摩擦係数（例えば指数Ａ）及び粘着性（例えば指数Ｂ）が高い数値の、ａ＜Ａ及びｂ＜Ｂの関係となる性質を有している。この場合、摩擦係数及び粘着性が高いという表現の意味は、手摺ベルト６の表面に対して印刷シート６ＡＡの方が「しっとり感」があり、掴んだ手指が滑り難く、手摺ベルト６をより確実に掴めるということである。なお、発明者の実験によれば、ラミネート層６Ｂｂの摩擦係数及び粘着性の性質は、���リエステル系ウレタン樹脂材が本来備える数値でよいと判断されるが、必要に応じてゴム系あるいはウレタン樹脂系材料を塗布するなどして摩擦係数及び粘着性の数値を高める方向に調整することも可能である。
【００１６】  加えて、本発明の印刷シート６ＡＡによる案内ローラ１０表面の清掃メカニズムについて説明すれば、印刷シート６ＡＡの表面が備える摩擦係数及び粘着性が高い数値を有する性質を生かして、図４に示すように手摺ベルト６と印刷シート６ＡＡを回動させた状態において、案内ローラ１０の表面の汚れ成分（図示せず）をこの印刷シート６ＡＡに吸着及び転移させ、この印刷シート６ＡＡに転移した汚れ成分をそれの往路において人的に拭き取る工程を経て清掃する方法としている。このため、手摺ベルト６表面の汚れの元凶である案内ローラ１０表面の汚れを人手によらず印刷シート６ＡＡに転移させることで、エスカレーター１の機械部品、特に欄干５を少しも解体せずに清掃できる保全上の効果を奏し得る。すなわち、特許文献２のように一定時間、一定長さの清掃用粘着フィルムを貼り付けて案内ローラの汚れを取るという清掃に特化した時間、道具立ての方法に比べて、方向表示マーク６Ａと滑り難さという安全性を発揮しつつの効率的な清掃方法を提供できる。さらに、この汚れ除去効果により美感が保たれれば、手摺ベルトの使用者が増え、安全サイドに改善される効果を上積みできる。
【００１７】  なお、方向表示マーク６Ａの間隔設定は、乗り口階床にいる視覚弱者が並設々置された第１及び第２のエスカレーター１Ａ、１ａを遠望した時に該エスカレーターの正面に位置ずれ距離ｈを有して少なくても１個出てくる方向表示マーク６Ａの位置ずれと、各々のエスカレーターの回動方向と回動速度を容易に視認できることを意図したものである。また、視覚弱者が乗り口に達した時と乗り込んだ時は、欄干５の上面で目の高さに近い位置に方向表示マーク６Ａが存在することによって視点が定まり、より近い位置で移動感覚も認識できて乗り込み（体重移動）のタイミングが取り易く、速度への追随意識も高まって転倒事故の低減に寄与できる。さらに、方向表示マーク６Ａの間隔内には「手摺をつかめ」的な安全利用のための文言や広告等を印刷して設けることも可能であり、対象とする設備も例示の第１及び第２のエスカレーター１Ａ、１ａだけでなく、類似的機構及び並設々置の動く歩道にもそのまま適用できる。
【産業上の利用可能性】
【００１８】  以上説明したように上記実施形態によれば、並設々置エスカレーターの区別が容易となって逆乗り込み防止等安全性向上のほか、乗客の手摺ベルト把持の確実性及び案内ローラの清掃確実化に寄与できる並設々置エスカレーターの手摺ベルト及びその清掃方法を提供することができる。
【符号の説明】
【００１９】１Ａ  第１のエスカレーター
１ａ  第２のエスカレーター
４  踏段
５  欄干
５Ａ  上部反転部
５Ｂ  下部反転部
６  手摺ベルト
６Ａ  方向表示マーク
６ＡＡ  印刷シート
１０  案内ローラ
ｈ  位置ずれ距離
【図１】
2014218367.tif 000003
【図２】
2014218367.tif 000004
【図３】
2014218367.tif 000005
【図４】
2014218367.tif 000006